(57)【要約】【課題】輝度ムラの発生が抑制される光源モジュールおよび電子機器、を提供する。【解決手段】バックライトモジュールは、光を発するＬＥＤと、導光板２１と、導光板２１を位置決めするための位置決めピン５１とを備える。導光板２１は、主面と、主面の裏側に配置される裏面と、主面および裏面に連接される端面２５とを有する。導光板２１には切り欠き部３１が形成され、その切り欠き部３１には、位置決めピン５１が端面２５から突出する形態により配置される。【選択図】図１４
2012084304.tif 000002
【特許請求の範囲】
【請求項１】
光を発する光源と、
第１表面と、前記第１表面の裏側に配置される第２表面と、前記第１表面および前記第２表面に連接される端面とを有し、前記端面を通じて入射された前記光源からの光を内部で伝播させて前記第１表面に出射させる導光板と、
前記導光板を位置決めするための位置決め部材とを備え、
前記導光板には、前記端面から切り欠かれ、前記第２表面から前記第１表面に向けて延びる切り欠き部が形成され、
前記切り欠き部には、前記位置決め部材が前記端面から突出する形態により配置される、光源モジュール。
【請求項２】
前記位置決め部材が直径Ｄの円柱形状を有し、前記切り欠き部が前記端面から深さＨで切り欠かれる場合に、前記切り欠き部は、Ｈ＜Ｄの関係を満たすように形成される、請求項１に記載の光源モジュール。
【請求項３】
前記切り欠き部は、Ｈ＞Ｄ／２の関係をさらに満たすように形成される、請求項２に記載の光源モジュール。
【請求項４】
光を発する光源と、
第１表面と、前記第１表面の裏側に配置される第２表面と、前記第１表面および前記第２表面に連接される端面とを有し、前記端面を通じて入射された前記光源からの光を内部で伝播させて前記第１表面に出射させる導光板と、
前記導光板を位置決めするための位置決め部材とを備え、
前記導光板は、前記端面として、前記光源と対向して配置され、前記光源からの光が入射される第１端面と、前記第１端面から連なり、前記光源からの光の出射方向に沿って延在する第２端面とを有し、
前記導光板には、前記第２端面から切り欠かれ、前記第２表面から前記第１表面に向けて延び、前記位置決め部材が配置される切り欠き部が形成され、
前記第２表面を正面から見た場合に、前記切り欠き部は、前記ピンが配置される位置から前記第１端面にまで達するように形成される、光源モジュール。
【請求項５】
前記切り欠き部を形成する前記導光板の表面には、前記光源からの光の進行を遮る遮光シートが設けられる、請求項１から４のいずれか１項に記載の光源モジュール。
【請求項６】
前記第１表面上の、前記切り欠き部を取り囲む位置には、前記光源からの光の進行を遮る遮光シートが設けられる、請求項１から５のいずれか１項に記載の光源モジュール。
【請求項７】
請求項１から６のいずれか１項に記載の光源モジュールを備える、電子機器。
【発明の詳細な説明】
【技術分野】
【０００１】
この発明は、一般的には、光源モジュールおよび電子機器に関し、より特定的には、導光板を利用した光源モジュールおよびその光源モジュールを備える電子機器に関する。
【背景技術】
【０００２】
従来の光源モジュールに関して、たとえば、特開２００２−２８７１３８号公報には、製造の際に導光板と光源との間の距離を容易に最適化することにより、製造コストの増大を回避することを目的とした液晶表示装置が開示されている（特許文献１）。特許文献１に開示された液晶表示装置は、ＬＥＤと、ＬＥＤからの光を側面から入射させ、液晶表示素子に光を出射する導光板と、ＬＥＤおよび導光板を固定状態に取り付けるケースとを有する。
【０００３】
また、特開２００４−１８４４９３号公報には、光源の回路基板上での実装位置がずれた場合であっても、高い発光輝度を有することを目的とした電気光学装置が開示されている（特許文献２）。特許文献２に開示された電気光学装置は、導光板と、導光板を介して電気光学パネルに対して光を出射する光源と、光源が実装される回路基板とを有する。
【０００４】
また、特開２００８−８４８１１号公報には、光学シートのがたつきを抑制して、光学シートのしわの発生を抑えることを目的としたバックライトユニットが開示されている（特許文献３）。特許文献３に開示されたバックライトユニットは、光源と、光源の光を導光する導光体と、導光体の上に積層された光学シートと、これらを収容する筐体とを有する。
【０００５】
また、特開２００８−２４３４０２号公報には、外部からの熱衝撃などに起因する部材の傷を防止し、薄型化および狭額縁化を可能とし、信頼性を向上させ、製造コストを抑制することを目的とした面状光源装置が開示されている（特許文献４）。特許文献４に開示された面状光源装置は、光源から入射された光を液晶パネルに向けて出射させるための導光板を有する。
【先行技術文献】
【特許文献】
【０００６】
【特許文献１】特開２００２−２８７１３８号公報
【特許文献２】特開２００４−１８４４９３号公報
【特許文献３】特開２００８−８４８１１号公報
【特許文献４】特開２００８−２４３４０２号公報
【発明の概要】
【発明が解決しようとする課題】
【０００７】
上述の特許文献に開示されるように、液晶表示装置などの画像表示装置に、導光板を備えた光源モジュールが利用されている。導光板は、画像を表示するための画像表示パネルと重なって配置されており、光源からの光を内部で平面的に伝播させながら画像表示パネルに向けて照射する。一方、画像表示パネルの適切な範囲に光を照射するために、光源モジュールには導光板を位置決めする手段が必要となる。このような手段としては位置決め用のピンが挙げられ、これに対応して、導光板にはピンを配置するための切り欠き部が形成される。
【０００８】
しかしながら、このような位置決め機構を導光板に採用した場合、導光板内部を伝播する光が、切り欠き部や切り欠き部に配置されたピンによって反射される現象が生じる。この場合、切り欠き部の周辺で意図しない反射光が導光板から出射することとなり、光源モジュールに輝度ムラが生じる原因となる。
【０００９】
そこでこの発明の目的は、輝度ムラの発生が抑制される光源モジュールおよび電子機器を提供することである。
【課題を解決するための手段】
【００１０】
この発明の１つの局面に従った光源モジュールは、光を発する光源と、導光板と、導光板を位置決めするための位置決め部材とを備える。導光板は、第１表面と、第１表面の裏側に配置される第２表面と、第１表面および第２表面に連接される端面とを有する。導光板は、端面を通じて入射された光源からの光を内部で伝播させて第１表面に出射させる。導光板には、端面から切り欠かれ、第２表面から第１表面に向けて延びる切り欠き部が形成される。切り欠き部には、位置決め部材が端面から突出する形態により配置される。
【００１１】
このように構成された光源モジュールによれば、切り欠き部を、その切り欠き部に配置される位置決め部材よりも低背化することによって、導光体内部を伝播する光が切り欠き部もしくは位置決め部材によって反射される現象を抑制できる。これにより、光源モジュールから照射される光に輝度ムラが生じることを防ぐことができる。
【００１２】
また好ましくは、位置決め部材が直径Ｄの円柱形状を有し、切り欠き部が端面から深さＨで切り欠かれる場合に、切り欠き部は、Ｈ＜Ｄの関係を満たすように形成される。このように構成された光源モジュールによれば、円柱形状を有する位置決め部材よりも切り欠き部を低背化することによって、導光体内部を伝播する光が切り欠き部もしくは位置決め部材によって反射される現象を抑制できる。
【００１３】
また好ましくは、切り欠き部は、Ｈ＞Ｄ／２の関係をさらに満たすように形成される。このように構成された光源モジュールによれば、位置決め部材によって導光板をより確実に位置決めすることができる。
【００１４】
この発明の別の局面に従った光源モジュールは、光を発する光源と、導光板と、導光板を位置決めするための位置決め部材とを備える。導光板は、第１表面と、第１表面の裏側に配置される第２表面と、第１表面および第２表面に連接される端面とを有する。導光板は、端面を通じて入射された光源からの光を内部で伝播させて第１表面に出射させる。導光板は、端面として、光源と対向して配置され、光源からの光が入射される第１端面と、第１端面から連なり、光源からの光の出射方向に沿って延在する第２端面とを有する。導光板には、位置決め部材が配置される切り欠き部が形成される。切り欠き部は、第２端面から切り欠かれ、第２表面から第１表面に向けて延びる。第２表面を正面から見た場合に、切り欠き部は、ピンが配置される位置から第１端面にまで達するように形成される。
【００１５】
このように構成された光源モジュールによれば、切り欠き部を、ピンが配置される位置から第１端面にまで達するように形成することにより、導光体内部を伝播する光が切り欠き部もしくは位置決め部材によって反射される現象を抑制できる。これにより、光源モジュールから照射される光に輝度ムラが生じることを防ぐことができる。
【００１６】
また好ましくは、切り欠き部を形成する導光板の表面には、光源からの光の進行を遮る遮光シートが設けられる。このように構成された光源モジュールによれば、遮光シートによって、導光板内部から位置決め部材への光の進行を抑えたり、切り欠き部による光の反射を抑えたりする。これにより、輝度ムラの発生を効果的に防ぐことができる。
【００１７】
また好ましくは、第１表面上の、切り欠き部を取り囲む位置には、光源からの光の進行を遮る遮光シートが設けられる。このように構成された光源モジュールによれば、遮光シートによって、切り欠き部もしくは位置決め部材による反射光が切り欠き部周辺の第１表面から出射することを抑える。これにより、輝度ムラの発生を効果的に防ぐことができる。
【００１８】
この発明に従った電子機器は、上述のいずれかに記載の光源モジュールを備える。このように構成された電子機器によれば、光源モジュールから均一な輝度の光が取り出されるため、電子機器の品質を向上させることができる。
【発明の効果】
【００１９】
以上に説明したように、この発明に従えば、輝度ムラの発生が抑制される光源モジュールおよび電子機器を提供することができる。
【図面の簡単な説明】
【００２０】
【図１】この発明の実施の形態１におけるバックライトモジュールを備えた液晶表示装置を示す分解斜視図である。
【図２】図１中のバックライトモジュールの構成部品を示す平面図である。
【図３】図２中のＩＩＩ−ＩＩＩ線上に沿った位置に対応する液晶表示装置の断面図である。
【図４】図３中の２点鎖線ＩＶで囲まれた範囲を拡大して示す断面図である。
【図５】図２中の２点鎖線Ｖで囲まれた範囲を拡大して示す平面図である。
【図６】比較のためのバックライトモジュールを示す平面図である。
【図７】図５中に示すバックライトモジュールにおいて、導光板の長手方向の各位置における輝度を示したグラフである。
【図８】図５中のバックライトユニットの第１変形例を示す平面図である。
【図９】図５中のバックライトユニットの第２変形例を示す平面図である。
【図１０】図５中のバックライトユニットの第３変形例を示す平面図である。
【図１１】この発明の実施の形態２におけるバックライトモジュールを示す断面図である。
【図１２】図１１中に示すバックライトモジュールにおいて、特定位置の輝度を示したグラフである。
【図１３】この発明の実施の形態３におけるバックライトモジュールを示す断面図である。
【図１４】この発明の実施の形態４におけるバックライトモジュールを示す断面図である。
【図１５】図１４中に示すバックライトモジュールの変形例を示す断面図である。
【図１６】この発明の実施の形態５におけるバックライトモジュールを示す断面図である。
【図１７】この発明の実施の形態６におけるバックライトモジュールの一形態を示す断面図である。
【図１８】図１７中に示すバックライトモジュールにおいて、特定位置の輝度を示したグラフである。
【図１９】この発明の実施の形態６におけるバックライトモジュールの別形態を示す断面図である。
【発明を実施するための形態】
【００２１】
この発明の実施の形態について、図面を参照して説明する。なお、以下で参照する図面では、同一またはそれに相当する部材には、同じ番号が付されている。
【００２２】
（実施の形態１）
［液晶表示装置の全体構造の説明］
図１は、この発明の実施の形態１におけるバックライトモジュールを備えた液晶表示装置を示す分解斜視図である。図１を参照して、まず、液晶表示装置１００の全体構造について説明すると、液晶表示装置１００は、ベゼル１２０と、液晶表示パネル１１０と、バックライトモジュール１０と、制御部１６０とを有する。
【００２３】
液晶表示パネル１１０は、バックライトモジュール１０と重なって配置されている。液晶表示パネル１１０は、アクティブマトリックス基板と、カラーフィルタと、対向基板と、アクティブマトリックス基板および対向基板の間に封入された液晶とを有する。アクティブマトリックス基板には、複数のＴＦＴ（Thin Film Transistor）素子が形成されている。液晶表示パネル１１０は、バックライトモジュール１０から照射された光を受けて、その表示範囲に画像を表示する。
【００２４】
液晶表示パネル１１０およびバックライトモジュール１０の積層方向から見て、液晶表示パネル１１０は、相対的に長い一対の長辺と、相対的に短い一対の短辺とを有する矩形形状を有する。液晶表示装置１００の設置状態において、液晶表示パネル１１０は、その長辺が水平方向に延伸し、短辺が鉛直方向に延伸するように位置決めされる。
【００２５】
ベゼル１２０は、液晶表示パネル１１０の周縁を覆うように設けられている。ベゼル１２０は、枠形状を有し、その枠形状の内側に液晶表示パネル１１０の表示範囲を視認可能とする窓部を形成している。
【００２６】
図２は、図１中のバックライトモジュールの構成部品を示す平面図である。図１および図２を参照して、バックライトモジュール１０は、導光板２１と、ＬＥＤ（Light Emitting Diode）ユニット４１，４２と、積層シート群１３０と、反射シート１５０と、バックライトシャーシ１４２（図３を参照のこと）とを有する。
【００２７】
導光板２１は、ＬＥＤユニット４１，４２から出射された光が透過可能な材料から形成されている。導光板２１は、アクリル樹脂、ポリスチレン樹脂、メタクリル樹脂またはポリカーボネイト樹脂などの透明性の樹脂から形成されている。導光板２１は、ガラスから形成されてもよい。
【００２８】
導光板２１は、全体的に見て、直方体の平板形状を有する。液晶表示パネル１１０およびバックライトモジュール１０の積層方向から見て、導光板２１は、液晶表示パネル１１０に対応する形状、すなわち、一対の長辺と、一対の短辺とを有する矩形形状を有する。一対の長辺が延伸する方向を導光板２１の長手方向といい、一対の短辺が延伸する方向を導光板２１の短手方向という。
【００２９】
導光板２１は、主面２２および裏面２３を有する。主面２２および裏面２３は、矩形形状の平面視を有する。裏面２３は、主面２２の裏側に配置されている。主面２２および裏面２３は、距離を隔てて平行に配置されている。主面２２および裏面２３は、導光板２１が有する複数の側面のうちで最も広い面積を有する側面である。導光板２１は、主面２２が液晶表示パネル１１０と向かい合わせとなるように配置されている。
【００３０】
導光板２１は、端面２５をさらに有する。端面２５は、主面２２および裏面２３に連接されている。端面２５は、主面２２および裏面２３に対して直角に配置されている。端面２５は、主面２２および裏面２３の四辺に沿って延在している。
【００３１】
導光板２１は、端面２５として、端面２５ｐ、端面２５ｑ、端面２５ｒおよび端面２５ｓを有する。端面２５ｐおよび端面２５ｑは、距離を隔てて平行に配置されている。端面２５ｐおよび端面２５ｑは、導光板２１の長手方向に延在する。液晶表示装置１００の設置状態において、端面２５ｐは、主面２２および裏面２３の下方に配置され、端面２５ｑは、主面２２および裏面２３の上方に配置される。端面２５ｒおよび端面２５ｓは、距離を隔てて平行に配置され、端面２５ｐおよび端面２５ｑに直交している。端面２５ｒおよび端面２５ｓは、導光板２１の短手方向に延在する。液晶表示装置１００の設置状態において、端面２５ｒおよび端面２５ｓは、主面２２および裏面２３の側方に配置される。
【００３２】
なお、本実施の形態におけるバックライトモジュール１０では、導光板２１が１枚ものの平板から構成される場合を説明するが、このような構造に限られず、導光板２１は、導光板２１の短手方向に沿って配列される複数の分割板から構成されてもよい。導光板２１には、主面２２から凹むように複数の溝部が形成されてもよい。
【００３３】
ＬＥＤユニット４１とＬＥＤユニット４２とは、互いに距離を隔てて配置されている。ＬＥＤユニット４１は、導光板２１の端面２５ｒと隣り合って配置され、ＬＥＤユニット４２は、導光板２１の端面２５ｓと隣り合って配置されている。
【００３４】
ＬＥＤユニット４１，４２の各ＬＥＤユニットは、複数のＬＥＤ４６および回路基板４７を有する。ＬＥＤ４６は、光を発する光源である。複数のＬＥＤ４６は、回路基板４７に実装されている。複数のＬＥＤ４６は、導光板２１が平板状に延在する平面内に配置されている。複数のＬＥＤ４６は、導光板２１の短手方向に沿って間隔を設けて配列されている。ＬＥＤユニット４１を構成する複数のＬＥＤ４６は、導光板２１の端面２５ｒと対向して配置されている。ＬＥＤユニット４２を構成する複数のＬＥＤ４６は、導光板２１の端面２５ｓと対向して配置されている。導光板２１の端面２５ｐおよび端面２５ｑは、ＬＥＤ４６からの光の出射方向に沿って延在する。
【００３５】
なお、本実施の形態では、導光板２１の端面２５ｒおよび端面２５ｓに隣り合う各位置に複数のＬＥＤ４６を配置したが、このような構造に限られず、端面２５ｒおよび端面２５ｓに隣り合う位置のいずれか一方に複数のＬＥＤ４６を配置してもよい。また、導光板２１の端面２５ｐおよび／または端面２５ｑに隣り合う位置に複数のＬＥＤ４６を配置してもよい。
【００３６】
また、光源としては、ＬＥＤを採用した例に限られず、冷陰極管および熱陰極間などの蛍光管またはその他の光源を採用することができる。
【００３７】
反射シート１５０は、導光板２１と重なって配置されている。反射シート１５０は、裏面２３と向かい合わせとなるように配置されている。反射シート１５０は、導光板２１と、後述するシャーシ１４０との間に配置されている。
【００３８】
反射シート１５０は、ＬＥＤ４６から発せられた光を反射可能な特性を有する。反射シート１５０は、高反射性を有するシート状部材から形成されており、たとえば、白色ポリエチレンテレフタラートフィルムに代表される白色ポリエステルフィルムから形成されている。反射シート１５０は、導光板２１の裏面２３から漏れた光を反射させて導光板２１内部に戻す機能を有しており、光の利用効率を高めている。
【００３９】
積層シート群１３０は、導光板２１と重なって配置されている。積層シート群１３０は、主面２２と向かい合わせとなるように配置されている。積層シート群１３０は、液晶表示パネル１１０と導光板２１との間に配置されている。
【００４０】
積層シート群１３０は、導光板２１から出射する光の輝度ムラを抑制するとともに、導光板２１からの光を集光して液晶表示パネル１１０に向けて照射する機能を有する。このような機能を発揮すべく、積層シート群１３０は、拡散シートおよび複数のプリズムシートとを有して構成されている。
【００４１】
液晶表示パネル１１０およびＬＥＤユニット４１，４２は、制御部１６０に電気的に接続されている。制御部１６０は、液晶表示装置１００の全体を制御するための部位であり、たとえば液晶表示パネル１１０に設けられたＴＦＴ素子の駆動の制御や、ＬＥＤユニット４１，４２に設けられたＬＥＤ４６の駆動の制御などを行なう。
【００４２】
図３は、図２中のＩＩＩ−ＩＩＩ線上に沿った位置に対応する液晶表示装置の断面図である。図１から図３を参照して、バックライトシャーシ１４２は、導光板２１が取り付けられる取り付け台として設けられている。本実施の形態では、バックライトシャーシ１４２が、シャーシ１４０およびｐ−シャーシ１４１を有する。
【００４３】
シャーシ１４０は、一方向に開口された受け皿形状を有する。シャーシ１４０上には、反射シート１５０、導光板２１および積層シート群１３０が挙げた順に積み重ねられている。ｐ−シャーシ１４１は、積層シート群１３０の周縁を覆うように設けられている。さらにＰ−シャーシ１４１を覆うようにベゼル１２０が設けられている。Ｐ−シャーシ１４１とベゼル１２０との間には、液晶表示パネル１１０が緩衝材１１２および緩衝材１１４を介して挟持されている。ベゼル１２０およびシャーシ１４０が図示しない固定手段によって互いに固定されることにより、液晶表示装置１００の各構成部品がベゼル１２０とシャーシ１４０との間に挟持されている。
【００４４】
図２および図３中に示すように、液晶表示パネル１１０は、その表示範囲１１５に画像を表示させる。表示範囲１１５は、ベゼル１２０の内側に形成されている。表示範囲１１５は、矩形形状を有する。
【００４５】
図４は、図３中の２点鎖線ＩＶで囲まれた範囲を拡大して示す断面図である。図２から図４を参照して、バックライトモジュール１０は、光拡散部６１をさらに有する。光拡散部６１は、導光板２１の内部を伝播する光を拡散させる機能を有する。光拡散部６１は、導光板２１の裏面２３に設けられている。
【００４６】
光拡散部６１の構造についてより具体的に説明すると、光拡散部６１は、裏面２３に分散するドット状パターンとして形成されている。光拡散部６１は、複数の突起部６１ｊから構成されている。突起部６１ｊは、裏面２３から半球状に突出して形成されている。突起部６１ｊは、裏面２３を平面視した場合に、円形状を有する。複数の突起部６１ｊは、互いに間隔を隔てて裏面２３に設けられている。突起部６１ｊは、ＬＥＤ４６から発せられた光を透過可能な材料から形成されている。突起部６１ｊは、透明性の樹脂から形成されている。突起部６１ｊは、導光板２１を形成する材料と同材料から形成されてもよい。
【００４７】
光拡散部６１は、突起部６１ｊを形成する樹脂を裏面２３に対して印刷することによって形成されている。光拡散部６１を印刷する方法としては、インクジェット印刷法もしくはシルク印刷法が用いられる。
【００４８】
なお、本実施の形態では、光拡散部６１が複数の突起部６１ｊから構成される場合を説明したが、これに限られず、たとえば、光拡散部６１を、裏面２３にプリズム等の微細な凹凸形状を付与することにより形成してもよいし、裏面２３にブラスト処理を施すことにより形成してもよい。
【００４９】
光拡散部６１は、裏面２３上に規定された光拡散部形成範囲６０の範囲内に形成されている。光拡散部形成範囲６０は、矩形形状を有する。光拡散部形成範囲６０は、表示範囲１１５に対応付けて規定されている。裏面２３上には、さらに外周範囲６５が規定されている。外周範囲６５は、光拡散部形成範囲６０の外周上で帯状に周回する形状を有する。外周範囲６５には、後述する切り欠き部３１および切り欠き部３２が形成されている。外周範囲６５には、光拡散部６１が形成されていない。
【００５０】
図２中に示すように、光拡散部６１は、導光板２１の短手方向において光拡散部形成範囲６０の端と表示範囲１１５の端とが一致し、導光板２１の長手方向において表示範囲１１５の端が光拡散部形成範囲６０に含まれるように設けられている。光拡散部形成範囲６０および表示範囲１１５はこのような関係に限られず、たとえば、光拡散部６１は、導光板２１の長手方向において光拡散部形成範囲６０の端が表示範囲１１５に含まれるように形成されてもよい。
【００５１】
以上に説明したバックライトモジュール１０は、液晶表示パネル１１０に光を照射することによって表示範囲１１５に画像を表示させる。
【００５２】
その仕組みについて説明すると、ＬＥＤユニット４１およびＬＥＤユニット４２のＬＥＤ４６から発せられた光は、それぞれ、端面２５ｒおよび端面２５ｓを通じて導光板２１に入射する。すなわち、端面２５ｒおよび端面２５ｓは、ＬＥＤ４６からの光を導光板２１に入射させる入射面として機能する。光は、導光板２１の内部で全反射を繰り返しながら平面的に伝播する。
【００５３】
この際、図４中に示すように、裏面２３に向かって進行する光の一部が光拡散部６１を構成する突起部６１ｊに入射する。突起部６１ｊに入射した光は突起部６１ｊの外周面６２によって多方向に反射され、これにより、裏面２３から主面２２に向かう光が拡散される。結果、主面２２における全反射条件を満たさない光が生じ、その光が主面２２を通じて出射される。このとき、主面２２は、導光板２１の内部から光を出射させる出射面として機能する。なお、突起部６１ｊの外周面６２をさらに透過した光は、反射シート１５０に反射されることにより、導光板２１内部に戻される。
【００５４】
導光板２１から出射された光は、積層シート群１３０による光学的な補正を受けた後、液晶表示パネル１１０に照射される。
【００５５】
このように液晶表示パネル１１０の適切な範囲に光を照射するためには、バックライトモジュール１０に導光板２１を位置決めする手段を設ける必要がある。以下、その導光板２１の位置決め構造について説明する。
【００５６】
図１から図３を参照して、バックライトモジュール１０は、導光板２１を位置決めするための位置決めピン５１をさらに有する。位置決めピン５１は、シャーシ１４０に固定されている。位置決めピン５１は、液晶表示パネル１１０およびバックライトモジュール１０の積層方向に延びるピン形状を有する。位置決めピン５１は、後述する切り欠き部３１および切り欠き部３２が形成された各位置に対応して設けられている。
【００５７】
導光板２１には、位置決めピン５１が配置される切り欠き部３１および切り欠き部３２が形成されている。切り欠き部３１および切り欠き部３２は、端面２５から切り欠かれて形成されている。切り欠き部３１および切り欠き部３２は、導光板２１の長手方向もしくは短手方向に沿って直線状に延在する端面２５を不連続とするように形成されている。切り欠き部３１および切り欠き部３２は、裏面２３から主面２２に向けて延びている。切り欠き部３１および切り欠き部３２は、主面２２と裏面２３との間で導光板２１を貫通するように形成されている。
【００５８】
本実施の形態では、切り欠き部３１として、切り欠き部３１ａ，３１ｂ，３１ｃ，３１ｄ，３１ｅ，３１ｆが形成されている。切り欠き部３１ａ，３１ｂ，３１ｃ，３１ｄ，３１ｅは、端面２５ｐから切り欠かれて形成されている。切り欠き部３１ｆは、端面２５ｑから切り欠かれて形成されている。
【００５９】
切り欠き部３１ｃは、導光板２１の長手方向における端面２５ｐの中心に配置されている。切り欠き部３１ｂおよび切り欠き部３１ｄは、導光板２１の長手方向において、切り欠き部３１ｃの両側に配置されている。切り欠き部３１ａは、切り欠き部３１ｂに対して切り欠き部３１ｃの反対側に配置され、切り欠き部３１ｅは、切り欠き部３１ｄに対して切り欠き部３１ｃの反対側に配置されている。切り欠き部３１ｆは、導光板２１の長手方向における端面２５ｑの中心に配置されている。
【００６０】
さらに本実施の形態では、切り欠き部３２として、切り欠き部３２ａ，３２ｂが形成されている。切り欠き部３２ａは、端面２５ｒから切り欠かれて形成されている。切り欠き部３２ｂは、端面２５ｓから切り欠かれて形成されている。
【００６１】
切り欠き部３２ａは、導光板２１の短手方向における端面２５ｒの中心に配置されている。切り欠き部３２ｂは、導光板２１の短手方向における端面２５ｓの中心に配置されている。
【００６２】
シャーシ１４０上に、反射シート１５０、導光板２１および積層シート群１３０が積み重ねられた状態で、切り欠き部３１および切り欠き部３２に位置決めピン５１が配置される。これにより、導光板２１の平面方向における位置が位置決めピン５１によって拘束される。
【００６３】
なお、導光板２１に切り欠き部を形成する位置は、上記に説明した位置に限られず、たとえば、切り欠き部３１および切り欠き部３２のうちの切り欠き部３１のみを形成してもよいし、切り欠き部３１のうちの切り欠き部３１ｃおよび切り欠き部３１ｆのみを形成してもよい。また、切り欠き部３１および／または切り欠き部３２に加えて、導光板２１の四隅に切り欠き部を形成する構成としてもよい。
【００６４】
［光拡散部の詳細構造の説明］
続いて、本実施の形態におけるバックライトモジュール１０に設けられる光拡散部６１の構造について詳細に説明する。
【００６５】
図５は、図２中の２点鎖線Ｖで囲まれた範囲を拡大して示す平面図である。図５を参照して、本実施の形態では、光拡散部６１が、光拡散部形成範囲６０に、単位面積当たりに占める光拡散部６１の割合が疎となる補正領域７１と、単位面積当たりに占める光拡散部６１の割合が密となる周辺領域７２とが生じるように設けられている。
【００６６】
補正領域７１は、光拡散部形成範囲６０の範囲内で切り欠き部３１（図中に示す位置では、切り欠き部３１ｃ）に最も近接する位置７３を含むように形成されている。
【００６７】
周辺領域７２は、補正領域７１と隣り合って形成されている。周辺領域７２は、光拡散部形成範囲６０の範囲内で、切り欠き部３１が形成された端面２５（図中に示す位置では、切り欠き部３１ｃが形成された端面２５ｐ）に最も近接する位置７４を含むように形成されている。補正領域７１は、周辺領域７２および外周範囲６５によってその周囲が取り囲まれている。補正領域７１と周辺領域７２との境界は、円弧状に延びている。補正領域７１は、円弧と、その円弧の両端を繋ぐ直線とに囲まれた形状を有する。補正領域７１は、切り欠き部３１に近接する光拡散部形成範囲６０の端辺からその内側に張り出した形状を有する。
【００６８】
本実施の形態では、補正領域７１に光拡散部６１が形成されていない。すなわち、光拡散部６１を裏面２３上に印刷する際に、その印刷領域から補正領域７１が削除（トリミング）されている。
【００６９】
図６は、比較のためのバックライトモジュールを示す平面図である。図中には、図５中に示す範囲のバックライトモジュールが示されている。図６を参照して、本比較例におけるバックライトモジュールでは、光拡散部形成範囲６０に、光拡散部６１の印刷が実施されない補正領域７１が設けられていない。
【００７０】
導光板２１の内部を伝播する光は、主面２２と裏面２３との間で全反射を繰り返しながら切り欠き部３１の近傍にも達する。この場合に、図中の矢印２０１および２０２に示すように、光が切り欠き部３１を形成する導光板２１の表面や位置決めピン５１によって反射されると、切り欠き部３１の周辺で主面２２から出射される光の輝度が高くなる現象が生じる。このような現象の発生は、画像が表示される表示範囲１１５の外縁の近傍で顕著となり、表示範囲１１５の外縁から内側に近づくほど緩和される。
【００７１】
図５を参照して、これに対して、本実施の形態におけるバックライトモジュール１０においては、切り欠き部３１に最も近接する位置７３を含む補正領域７１に光拡散部６１が形成されていない。このような構成により、補正領域７１では光拡散部６１による光の拡散効果が奏されないために、主面２２における光の全反射条件が破られ難くなる。これにより、補正領域７１と周辺領域７２との間で、主面２２から出射される光の量に差が生じることを抑制し、切り欠き部３１の周辺における輝度ムラを防ぐことができる。
【００７２】
なお、図５中には切り欠き部３１ｃが設けられた位置のみが示されているが、切り欠き部３１ａ，３１ｂ，３１ｄ，３１ｅ，３１ｆの各切り欠き部３１に対応して、光拡散部形成範囲６０には補正領域７１が設けられている。
【００７３】
また、導光板２１の端辺２５ｒおよび端辺２５ｓから切り欠かれた切り欠き部３２に対応して、光拡散部形成範囲６０に補正領域７１が設けられてもよい。このような場合であっても、たとえば、端辺２５ｒから切り欠かれた切り欠き部３２ａには、端辺２５ｓを通じて入射したＬＥＤユニット４２からの光が進行するため、上記と同様の効果を得ることができる。
【００７４】
続いて、図５中のバックライトモジュール１０によって奏される作用、効果を確認するために行なった実施例について説明する。
【００７５】
図７は、図５中に示すバックライトモジュールにおいて、導光板の長手方向の各位置における輝度を示したグラフである。図７を参照して、横軸に表わす位置Ａ，Ｂ，Ｃ，Ｄ，Ｅは、図２中の導光板２１において切り欠き部３１ａ，３１ｂ，３１ｃ，３１ｄ，３１ｅが形成された位置に対応する。
【００７６】
本実施例では、画像が表示される表示範囲１１５の外縁の近傍で輝度を測定し、その輝度が導光板２１の長手方向においてどのように変化するかを図７中に示した。図５中に示すように、端辺２５ｐと光拡散部形成範囲６０の外縁との間の長さａとし、切り欠き部３２の深さをｂとし、補正領域７１の幅をｃとした場合に、ａ＝９．５ｍｍ、ｂ＝６．８ｍｍ、ｃ＝３３ｍｍとした。さらに、補正領域７１の深さをｈとした場合に、切り欠き部３１ａ，３１ｅに対応して設けた補正領域７１では、ｈ＝１０ｍｍとし、切り欠き部３１ｂ，３１ｃ，３１ｄに対応して設けた補正領域７１では、ｈ＝８ｍｍとした。さらに、本実施例では、図６中に示す比較のためのバックライトモジュールについても輝度の測定を実施し、その結果を図７中に示した。
【００７７】
比較のためのバックライトモジュールにおいては、切り欠き部３１ａ，３１ｂ，３１ｃ，３１ｄ，３１ｅが形成された各位置で輝度が急に高くなった。一方、切り欠き部３１に対応させて光拡散部６１が形成されない補正領域７１を設けることにより、切り欠き部３１の周辺で輝度を滑らかに変化させることができた。
【００７８】
図２を参照して、第１切り欠き部としての切り欠き部３１ａ，３１ｅは、入射面として機能する端面２５ｒ，２５ｓから近くに配置されている。この切り欠き部３１ａ，３１ｅと比較して、第２切り欠き部としての切り欠き部３１ｂ，３１ｃ，３１ｄは、端面２５ｒ，２５ｓから遠くに配置されている。この場合、切り欠き部３１ａ，３１ｅでは、切り欠き部３１や位置決めピン５１による反射光の影響が大きくなり、局所的に輝度が高くなる現象が顕著となる。
【００７９】
一方、上記の実施例においては、補正領域７１の深さｈに差を設けることによって、切り欠き部３１ａ，３１ｅに対応して設けた補正領域７１の面積を、切り欠き部３１ｂ，３１ｃ，３１ｄに対応して設けた補正領域７１の面積よりも大きく設定している。このような構成により、切り欠き部３１ａ，３１ｅの周辺では光拡散部６１が形成されない領域が大面積となるため、輝度ムラの発生を効果的に防ぐことができる。
【００８０】
図８は、図５中のバックライトユニットの第１変形例を示す平面図である。図８を参照して、本変形例では、裏面２３の単位面積当たりに形成する突起部６１ｊの数が、補正領域７１では多く、周辺領域７２では少なく設定されている。このような構成によっても、光拡散部６１による光の拡散効果が補正領域７１において抑制されるため、輝度ムラの発生を防ぐことができる。
【００８１】
また、１つ１つの突起部６１ｊの大きさに差を設けることによって、もしくは、突起部６１ｊの数および大きさに差を設けることによって、補正領域７１において単位面積当たりに占める光拡散部６１の割合を疎とし、周辺領域７２において単位面積当たりに占める光拡散部６１の割合を密としてもよい。
【００８２】
図９は、図５中のバックライトユニットの第２変形例を示す平面図である。図９を参照して、本変形例では、補正領域７１において、切り欠き部３１に最も近接する位置７３から、その位置７３より遠ざかるに従って、単位面積当たりに占める光拡散部６１の割合が大きくなる。図中に示す例では、単位面積当たりに占める光拡散部６１の割合の変化は、裏面２３の単位面積当たりに形成する突起部６１ｊの数によって操作されている。
【００８３】
このような構成によれば、補正領域７１の内側と外側との間で輝度が急激に変化するということがない。このため、補正領域７１と周辺領域７２との境界が液晶表示パネル１１０の表示画面上に線となって表れることを回避できる。
【００８４】
図１０は、図５中のバックライトユニットの第３変形例を示す平面図である。図１０を参照して、補正領域７１の形状は、円弧を含む形状に限られず、たとえば、図１０（Ａ）に示すように、矩形形状であってもよいし、図１０（Ｂ）に示すように、三角形形状であってもよい。補正領域７１の形状は、位置決めピン５１の配置箇所やＬＥＤ４６からの距離、切り欠き部３１の切り欠き形状などを考慮して、適宜選択される。
【００８５】
以上に説明した、この発明の実施の形態１におけるバックライトモジュール１０の構造についてまとめて説明すると、本実施の形態における光源モジュールとしてのバックライトモジュール１０は、光を発する光源としてのＬＥＤ４６と、導光板２１と、導光板２１を位置決めするための位置決め部材としての位置決めピン５１と、光拡散部６１とを備える。導光板２１は、第１表面としての主面２２と、主面２２の裏側に配置される第２表面としての裏面２３と、主面２２および裏面２３に連接される端面２５とを有する。導光板２１は、端面２５ｒおよび端面２５ｓを通じて入射されたＬＥＤ４６からの光を内部で伝播させて主面２２に出射させる。光拡散部６１は、裏面２３上の矩形形状の範囲としての光拡散部形成範囲６０内に分散して設けられ、導光板２１の内部を伝播する光を拡散させる。
【００８６】
導光板２１には、位置決めピン５１が配置される切り欠き部３１が形成される。切り欠き部３１は、端面２５ｐおよび端面２５ｑから切り欠かれ、裏面２３から主面２２に向けて延びる。光拡散部６１は、裏面２３上の光拡散部形成範囲６０内に、第１領域としての補正領域７１および第２領域としての周辺領域７２が生じるように設けられる。補正領域７１は、切り欠き部３１に最も近接する位置７３を含む。周辺領域７２は、端面２５ｐおよび端面２５ｑに最も近接する位置７４を含み、補正領域７１に隣接する。補正領域７１では、単位面積当たりに占める光拡散部６１の割合が疎となり、周辺領域７２では、単位面積当たりに占める光拡散部６１の割合が密となる。
【００８７】
この発明に従った画像表示装置としての液晶表示装置１００は、バックライトモジュール１０と、主面２２と向かい合う側に配置され、主面２２から出射された光を受けて画像を表示する画像表示パネルとしての液晶表示パネル１１０とを備える。
【００８８】
このように構成された、この発明の実施の形態１におけるバックライトモジュール１０および液晶表示装置１００によれば、光拡散部形成範囲６０に光拡散部６１の配置密度が疎とされる補正領域７１を設けることにより、切り欠き部３１の周辺で輝度ムラが生じることを防止できる。これにより、液晶表示装置１００の表示性能を向上させることができる。
【００８９】
なお、本実施の形態では、電子機器の代表例として液晶表示装置を、光源モジュールの代表例として当該液晶表示装置に具備されるバックライトモジュールをそれぞれ例示して説明を行なったが、この他にも、本発明が適用される電子機器としては、照明器具や投光器、プロジェクタ、広告灯等が挙げられ、本発明が適用される光源モジュールとしては、これらに具備される光源モジュールが挙げられる。
【００９０】
（実施の形態２）
本実施の形態におけるバックライトモジュールおよびこれを備えた液晶表示装置は、実施の形態１の［液晶表示装置の全体構造の説明］の項目で説明した基本構造を備える。さらに、本実施の形態におけるバックライトモジュールにおいては、切り欠き部３１に配置される位置決めピン５１が特徴的な構造を有する。
【００９１】
図１１は、この発明の実施の形態２におけるバックライトモジュールを示す断面図である。図中には、切り欠き部３１に配置された位置決めピン５１が示されている。
【００９２】
図１１を参照して、位置決めピン５１は、円柱形状を有する。位置決めピン５１は、液晶表示パネル１１０およびバックライトモジュールの積層方向に直交する平面により切断された場合、円形の断面形状を有する。位置決めピン５１は、その断面において、内周側の層と外周側の層とを含む多層構造を有する。すなわち、位置決めピン５１は、内周側の層として設けられた本体部５３と、外周側の層として設けられた被覆部５４とを有する。
【００９３】
本体部５３は、円柱形状を有する。本体部５３は、中実の形状に形成されている。被覆部５４は、本体部５３の表面を覆うように設けられている。被覆部５４は、少なくとも、円柱形状を有する本体部５３の外周面を覆うように設けられている。被覆部５４は、外側に露出して設けられている。
【００９４】
本体部５３は、ＬＥＤ４６から発せられた光に対して第１の反射率を有する。第１の反射率は、光が本体部５３の表面に直角に入射した場合の、入射光のエネルギーに対する反射光のエネルギーの比（反射光のエネルギー／入射光のエネルギー）によって求められる値である。被覆部５４は、ＬＥＤ４６から発せられた光に対して第２の反射率を有する。第２の反射率は、光が被覆部５４の表面に直角に入射した場合の、入射光のエネルギーに対する反射光のエネルギーの比（反射光のエネルギー／入射光のエネルギー）によって求められる値である。
【００９５】
第２の反射率は、第１の反射率よりも小さい。すなわち、同じエネルギーの光が本体部５３および被覆部５４にそれぞれ入射した場合に、被覆部５４からの反射光のエネルギーが本体部５３からの反射光のエネルギーよりも小さくなる。
【００９６】
本体部５３は、金属から形成されている。本体部５３は、たとえば、ステンレス、アルミニウムまたは鉄などから形成されている。被覆部５４は、エポキシ樹脂、シリコーン樹脂またはポリイミド樹脂などを用いた樹脂から形成されている。被覆部５４は、黒やグレーなど、光を効率的に吸収する色を有する塗装膜から形成されてもよい。また、被覆部５４は、金属製の本体部５３に対するメッキ層により形成されてもよい。たとえば、被覆部５４は、黒クロムメッキ処理によるメッキ層から形成されてもよい。さらに、本体部５３がアルミニウムから形成される場合、被覆部５４は、黒アルマイト処理によるメッキ層から形成されてもよい。
【００９７】
なお、位置決めピン５１の断面形状は、円形に限られず、四角形や三角形、楕円など適宜変更される。
【００９８】
位置決めピン５１が金属から形成される場合、その表面は金属光沢によって高い反射率を有する。このため、導光板２１の内部を伝播し、切り欠き部３１を透過した光が、位置決めピン５１によって反射され、切り欠き部３１の周辺で輝度が高くなる現象が生じる。これに対して、本実施の形態では、位置決めピン５１の表面に低反射率の被覆部５４が配置されるため、切り欠き部３１を透過した光が位置決めピン５１に反射されて再び導光板２１に向かうことを抑制できる。これにより、切り欠き部３１の周辺における輝度ムラを防ぐことができる。一方、金属製の本体部５３は、位置決めピン５１の剛性を高めることに寄与する。これにより、位置決めピン５１を用いて導光板２１を高い信頼性で位置決めすることができる。
【００９９】
図１２は、図１１中に示すバックライトモジュールにおいて、特定位置の輝度を示したグラフである。図１２を参照して、横軸に表わす位置Ｅは、図２中の導光板２１において切り欠き部３１ｅが形成された位置に対応する。
【０１００】
本実施例では、図１１中のバックライトモジュールを用いて、実施の形態１の図７に結果を示した実施例と同じように、輝度の測定を実施した。本体部５３をステンレスから形成し、被覆部５４を黒クロム処理によるメッキ層から形成した。測定の結果、切り欠き部３１ｅの周辺において、輝度のピーク値が３０パーセントほど低減することを確認できた。
【０１０１】
以上に説明した、この発明の実施の形態２におけるバックライトモジュールの構造についてまとめて説明すると、本実施の形態における光源モジュールとしてのバックライトモジュールは、光を発する光源としてのＬＥＤ４６と、導光板２１と、導光板２１を位置決めするための位置決め部材としての位置決めピン５１とを備える。導光板２１は、第１表面としての主面２２と、主面２２の裏側に配置される第２表面としての裏面２３と、主面２２および裏面２３に連接される端面２５とを有する。導光板２１は、端面２５ｒおよび端面２５ｓを通じて入射されたＬＥＤ４６からの光を内部で伝播させて主面２２に出射させる。
【０１０２】
導光板２１には、位置決めピン５１が配置される切り欠き部３１が形成される。切り欠き部３１は、端面２５ｐおよび端面２５ｑから切り欠かれ、裏面２３から主面２２に向けて延びる。位置決めピン５１は、ＬＥＤ４６からの光に対して第１の反射率を有する本体部５３と、本体部５３を覆うように設けられ、ＬＥＤ４６からの光に対して第１の反射率よりも小さい第２の反射率を有する被覆部５４とを有する。
【０１０３】
このように構成された、この発明の実施の形態２におけるバックライトモジュールおよびそのバックライトモジュールを備える液晶表示装置によれば、位置決めピン５１の表面に低反射率の被覆部５４を配置することにより、切り欠き部３１の周辺で輝度ムラが生じることを防止できる。これにより、液晶表示装置の表示性能を向上させることができる。
【０１０４】
（実施の形態３）
本実施の形態におけるバックライトモジュールおよびこれを備えた液晶表示装置は、実施の形態１の［液晶表示装置の全体構造の説明］の項目で説明した基本構造を備える。さらに、本実施の形態におけるバックライトモジュールにおいては、切り欠き部３１に配置される位置決めピン５１が特徴的な構造を有する。
【０１０５】
図１３は、この発明の実施の形態３におけるバックライトモジュールを示す断面図である。図中には、切り欠き部３１に配置された位置決めピン５１が示されている。
【０１０６】
図１３を参照して、本実施の形態では、位置決めピン５１が樹脂から形成されている。位置決めピン５１は、ＬＥＤ４６から発せられた光が透過可能な樹脂から形成されている。位置決めピン５１は、たとえば、エポキシ樹脂、シリコーン樹脂またはポリイミド樹脂などから形成されている。また、位置決めピン５１は、黒やグレーなど、光を効率的に吸収する色を有する樹脂から形成されてもよい。
【０１０７】
本実施の形態では、位置決めピン５１を樹脂から形成することにより、切り欠き部３１を透過した光が位置決めピン５１に反射されて再び導光板２１に向かうことを抑制できる。これにより、切り欠き部３１の周辺における輝度ムラを防ぐことができる。
【０１０８】
以上に説明した、この発明の実施の形態３におけるバックライトモジュールの構造についてまとめて説明すると、本実施の形態における光源モジュールとしてのバックライトモジュールは、光を発する光源としてのＬＥＤ４６と、導光板２１と、導光板２１を位置決めするための位置決め部材としての位置決めピン５１とを備える。導光板２１は、第１表面としての主面２２と、主面２２の裏側に配置される第２表面としての裏面２３と、主面２２および裏面２３に連接される端面２５とを有する。導光板２１は、端面２５ｒおよび端面２５ｓを通じて入射されたＬＥＤ４６からの光を内部で伝播させて主面２２に出射させる。
【０１０９】
導光板２１には、位置決めピン５１が配置される切り欠き部３１が形成される。切り欠き部３１は、端面２５ｐおよび端面２５ｑから切り欠かれ、裏面２３から主面２２に向けて延びる。位置決めピン５１は、樹脂から形成される。
【０１１０】
このように構成された、この発明の実施の形態３におけるバックライトモジュールおよびそのバックライトモジュールを備える液晶表示装置によれば、位置決めピン５１を樹脂から形成することにより、切り欠き部３１の周辺で輝度ムラが生じることを防止できる。これにより、液晶表示装置の表示性能を向上させることができる。
【０１１１】
（実施の形態４）
本実施の形態におけるバックライトモジュールおよびこれを備えた液晶表示装置は、実施の形態１の［液晶表示装置の全体構造の説明］の項目で説明した基本構造を備える。さらに、本実施の形態におけるバックライトモジュールでは、切り欠き部３１の溝深さと位置決めピン５１の大きさとが特徴的な関係を有する。
【０１１２】
図１４は、この発明の実施の形態４におけるバックライトモジュールを示す断面図である。図中には、切り欠き部３１と、切り欠き部３１に配置された位置決めピン５１とが示されている。
【０１１３】
図１４を参照して、切り欠き部３１は、底部３６および側壁部３７を有する矩形の断面形状を有する。底部３６は、切り欠き部３１を形成する溝の底部分に配置されている。側壁部３７は、端面２５から底部３６に連なるように形成されている。図中には、導光板２１の下部に配置された切り欠き部３１が示されているため、位置決めピン５１は、底部３６に接触している。位置決めピン５１と側壁部３７との間には、微小な隙間が形成されている。
【０１１４】
本実施の形態におけるバックライトモジュールにおいては、位置決めピン５１が端面２５（図中に示す範囲では、端面２５ｐ）から突出する形態により切り欠き部３１に配置されている。すなわち、位置決めピン５１の直径がＤであり、切り欠き部３１の溝深さ（端面２５と底部３６との間の長さ）がＨである場合に、切り欠き部３１はＨ＜Ｄの関係を満たすように形成されている。
【０１１５】
位置決めピン５１の直径は、位置決めピン５１に必要とされる剛性などを考慮して決定される。本実施の形態では、その位置決めピン５１の直径よりも溝深さが小さくなるように切り欠き部３１が形成されている。このように切り欠き部３１が低背化されることによって側壁部３７の長さを小さくできるため、光が側壁部３７を透過し、位置決めピン５１によって反射されることを抑制できる。一方、側壁部３７よりも内側を進行する光は底部３６に対する入射角が浅いため、その大部分が底部３６で反射される。底部３６で反射された光は、切り欠き部３１から離れる方向に進行するため、この光が切り欠き部３１の周辺から出射する確率は低い。以上の理由により、切り欠き部３１の周辺における輝度ムラを防ぐことができる。
【０１１６】
さらに、切り欠き部３１はＨ＞Ｄ／２の関係を満たすように形成されていることが好ましい。この場合、位置決めピン５１の大径部分の両側に側壁部３７が配置されるため、位置決めピン５１による導光板２１の位置決め精度を向上させることができる。
【０１１７】
図１５は、図１４中に示すバックライトモジュールの変形例を示す断面図である。図１５を参照して、位置決めピン５１の断面形状は、円形に限られず、たとえば、図１５（Ａ）に示すように、矩形形状であってもよいし、図１５（Ｂ）に示すように、三角形形状であってもよい。切り欠き部３１の形状は、位置決めピン５１の形状に合わせて適宜変更される。
【０１１８】
以上に説明した、この発明の実施の形態４におけるバックライトモジュールの構造についてまとめて説明すると、本実施の形態における光源モジュールとしてのバックライトモジュールは、光を発する光源としてのＬＥＤ４６と、導光板２１と、導光板２１を位置決めするための位置決め部材としての位置決めピン５１とを備える。導光板２１は、第１表面としての主面２２と、主面２２の裏側に配置される第２表面としての裏面２３と、主面２２および裏面２３に連接される端面２５とを有する。導光板２１は、端面２５ｒおよび端面２５ｓを通じて入射されたＬＥＤ４６からの光を内部で伝播させて主面２２に出射させる。導光板２１には、端面２５ｐおよび端面２５ｑから切り欠かれ、裏面２３から主面２２に向けて延びる切り欠き部３１が形成される。切り欠き部３１には、位置決めピン５１が端面２５ｐおよび端面２５ｑから突出する形態により配置される。
【０１１９】
このように構成された、この発明の実施の形態４におけるバックライトモジュールおよびそのバックライトモジュールを備える液晶表示装置によれば、位置決めピン５１との関係において切り欠き部３１を低背化させることによって、切り欠き部３１の周辺で輝度ムラが生じることを防止できる。これにより、液晶表示装置の表示性能を向上させることができる。
【０１２０】
（実施の形態５）
本実施の形態におけるバックライトモジュールおよびこれを備えた液晶表示装置は、実施の形態１の［液晶表示装置の全体構造の説明］の項目で説明した基本構造を備える。さらに、本実施の形態におけるバックライトモジュールでは、切り欠き部３１が特徴的な構造を有する。
【０１２１】
図１６は、この発明の実施の形態５におけるバックライトモジュールを示す断面図である。図中には、導光板２１の長手方向において、ＬＥＤユニット４１が配置された位置から切り欠き部３１ｂが形成された位置までの範囲が示されている。
【０１２２】
図１６を参照して、本実施の形態では、切り欠き部３１ｂが、導光板２１の長手方向にストレッチされた形状を有する。すなわち、裏面２３を正面から見た場合に、切り欠き部３１ｂは、位置決めピン５１が配置された位置から端面２５ｒにまで達するように形成されている。
【０１２３】
切り欠き部３１ｂは、裏面２３に平行な平面により切断された場合の断面が端面２５ｒに開放された形状を有する。切り欠き部３１ｂは、底部２８を有する。底部２８は、端面２５ｒに連なっている。底部２８は、端面２５ｐに平行な方向に延在している。底部２８は、端面２５ｒから、端面２５ｒより離れる方向に延在している。底部２８は、ＬＥＤユニット４１を構成するＬＥＤ４６からの光の出射方向に沿って延在している。
【０１２４】
このような構成によれば、ＬＥＤ４６から出射された光は、その出射方向に沿って延在する底部２８に対して全反射条件が崩れ難い関係にあるため、導光板２１を出射して位置決めピン５１に向かう光の量を抑えることができる。これにより、切り欠き部３１の周辺における輝度ムラを防ぐことができる。
【０１２５】
なお、図１６中には、切り欠き部３１ｂのみを示したが、図２中の切り欠き部３１ｄも端面２５ｓに開放されるように形成されている。
【０１２６】
以上に説明した、この発明の実施の形態５におけるバックライトモジュールの構造についてまとめて説明すると、本実施の形態における光源モジュールとしてのバックライトモジュールは、光を発する光源としてのＬＥＤ４６と、導光板２１と、導光板２１を位置決めするための位置決め部材としての位置決めピン５１とを備える。導光板２１は、第１表面としての主面２２と、主面２２の裏側に配置される第２表面としての裏面２３と、主面２２および裏面２３に連接される端面２５とを有する。導光板２１は、端面２５ｒおよび端面２５ｓを通じて入射されたＬＥＤ４６からの光を内部で伝播させて主面２２に出射させる。導光板２１は、端面２５として、ＬＥＤ４６と対向して配置され、ＬＥＤ４６からの光が入射される第１端面としての端面２５ｒおよび端面２５ｓと、端面２５ｒおよび端面２５ｓから連なり、ＬＥＤ４６からの光の出射方向に沿って延在する第２端面としての端面２５ｐおよび端面２５ｑとを有する。
【０１２７】
導光板２１には、位置決めピン５１が配置される切り欠き部３１が形成される。切り欠き部３１は、端面２５ｐおよび端面２５ｑから切り欠かれ、裏面２３から主面２２に向けて延びる。裏面２３を正面から見た場合に、切り欠き部３１は、位置決めピン５１が配置される位置から端面２５ｒおよび端面２５ｓにまで達するように形成される。
【０１２８】
このように構成された、この発明の実施の形態５におけるバックライトモジュールおよびそのバックライトモジュールを備える液晶表示装置によれば、切り欠き部３１ｂおよび切り欠き部３１ｄを、それぞれ、ＬＥＤ４６が対向配置された端面２５ｒおよび端面２５ｓに開放された形状とすることにより、切り欠き部３１の周辺で輝度ムラが生じることを防止できる。これにより、液晶表示装置の表示性能を向上させることができる。
【０１２９】
（実施の形態６）
本実施の形態におけるバックライトモジュールおよびこれを備えた液晶表示装置は、実施の形態１の［液晶表示装置の全体構造の説明］の項目で説明した基本構造を備える。さらに、本実施の形態におけるバックライトモジュールでは、さらに、遮光シート８１，８２が設けられている。
【０１３０】
図１７は、この発明の実施の形態６におけるバックライトモジュールの一形態を示す断面図である。図中には、切り欠き部３１と、切り欠き部３１に配置された位置決めピン５１とが示されている。
【０１３１】
図１７を参照して、導光板２１内部を伝播する光が切り欠き部３１に出射し、位置決めピン５１に向かう光の経路上に、ＬＥＤ４６からの光の進行を遮ることが可能な遮光シート８１が設けられている。より具体的には、切り欠き部３１を形成する導光板２１の表面に遮光シート８１が設けられている。遮光シート８１は、たとえば、黒やグレーなど、光を効率的に吸収する色を有するシート状部材もしくは塗装膜から形成されている。
【０１３２】
図１８は、図１７中に示すバックライトモジュールにおいて、特定位置の輝度を示したグラフである。図１８を参照して、横軸に表わす位置Ａは、図２中の導光板２１において切り欠き部３１ａが形成された位置に対応する。
【０１３３】
本実施例では、図１７中のバックライトモジュールを用いて、実施の形態１の図７に結果を示した実施例と同じように、輝度の測定を実施した。遮光シート８１としては、黒色の遮光テープを用い、この遮光テープを切り欠き部３１を形成する導光板２１の表面に貼り合わせた。測定の結果、切り欠き部３１ａの周辺において、輝度のピーク値が６０パーセントほど低減することを確認できた。
【０１３４】
図１９は、この発明の実施の形態６におけるバックライトモジュールの別形態を示す断面図である。図中には、切り欠き部３１と、切り欠き部３１に配置された位置決めピン５１とが示されている。
【０１３５】
図１９を参照して、主面２２上の切り欠き部３１を取り囲む位置に、ＬＥＤ４６からの光の進行を遮ることが可能な遮光シート８２が設けられている。遮光シート８２は、上記の遮光シート８１と同様のシート状部材もしくは塗装膜から形成されている。遮光シート８２は、表示領域１１５の外側の領域に配置されていることが好ましい。
【０１３６】
本実施の形態では、遮光シート８１もしくは遮光シート８２の配置によって、切り欠き部３１の周辺から漏れる光の量を小さく抑えることができる。これにより、切り欠き部３１の周辺における輝度ムラを防ぐことができる。特に実施の形態１におけるバックライトモジュール１０との比較において、光拡散部形成範囲６０の周りの外周範囲６５で輝度ムラが生じた場合に（図２を参照のこと）、遮光シート８１もしくは遮光シート８２の配置が有効である。
【０１３７】
このように構成された、この発明の実施の形態６におけるバックライトモジュールおよびそのバックライトモジュールを備える液晶表示装置によれば、遮光シート８１もしくは遮光シート８２の配置によって、切り欠き部３１の周辺で輝度ムラが生じることを防止できる。これにより、液晶表示装置の表示性能を向上させることができる。
【０１３８】
なお、以上の実施の形態１〜６に説明したバックライトモジュールの構成を適当に組み合わせることによって、切り欠き部３１の周辺における輝度ムラを効果的に防ぐことができる。一例を挙げれば、実施の形態１において説明した光拡散部６１の構造と、実施の形態２および３で説明した位置決めピン５１の構造とを組み合わせて、バックライトモジュールを構成してもよいし、実施の形態２および３で説明した位置決めピン５１の構造と、実施の形態４で説明した切り欠き部３１の低背化の構造とを組み合わせて、バックライトモジュールを構成してもよい。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１４０】
この発明は、代表的には、バックライトモジュールを備えた液晶表示装置に適用される。
【符号の説明】
【０１４１】
１０  バックライトモジュール、２１  導光板、２２  主面、２３  裏面、２５，２５ｐ，２５ｑ，２５ｒ，２５ｓ  端面、２８  底部、３１，３１ａ，３１ｂ，３１ｃ，３１ｄ，３１ｅ，３１ｆ，３２，３２ａ，３２ｂ  切り欠き部、３６  底部、３７  側壁部、４１，４２  ＬＥＤユニット、４６  光源、４７  回路基板、５１  位置決めピン、５３  本体部、５４  被覆部、６０  光拡散部形成範囲、６１  光拡散部、６１ｊ  突起部、６２  外周面、６５  外縁範囲、７１  補正領域、７２  周辺領域、７３，７４  位置、８１，８２  遮光シート、１００  液晶表示装置、１１０  液晶表示パネル、１１２，１１４  緩衝材、１１５  表示範囲、１２０  ベゼル、１３０  積層シート群、１４０  シャーシ、１４１  ｐ−シャーシ、１４２  バックライトシャーシ、１５０  反射シート、１６０  制御部。
【図１】
2012084304.tif 000003
【図２】
2012084304.tif 000004
【図３】
2012084304.tif 000005
【図４】
2012084304.tif 000006
【図５】
2012084304.tif 000007
【図６】
2012084304.tif 000008
【図７】
2012084304.tif 000009
【図８】
2012084304.tif 000010
【図９】
2012084304.tif 000011
【図１０】
2012084304.tif 000012
【図１１】
2012084304.tif 000013
【図１２】
2012084304.tif 000014
【図１３】
2012084304.tif 000015
【図１４】
2012084304.tif 000016
【図１５】
2012084304.tif 000017
【図１６】
2012084304.tif 000018
【図１７】
2012084304.tif 000019
【図１８】
2012084304.tif 000020
【図１９】
2012084304.tif 000021